(57)【要約】【課題】ユーザが簡単な操作（短縮ダイヤルやワンタッチキー操作等）で管理者や保守者等への連絡を迅速に且つ確実に行うことができること。【解決手段】１または複数の内線電話機と、外線に接続された主装置を有し、主装置１は、管理者や保守者等の所定の連絡先電話番号を複数登録する連絡先電話番号登録部１７と、連絡先電話番号登録手段に複数登録された連絡先電話番号の優先順位を登録する連絡先優先順位登録部１８と、連絡先優先順位登録手段に登録された電話番号を、内線電話機の特定のキー操作により読み出して発信する連絡先電話番号読出発信部１４を有し、内線電話機の特定のキー操作がなされた時、連絡先電話番号読出発信手段は、連絡先優先順位登録手段に登録された優先順位に従って連絡先電話番号を読み出し発信することを特徴とする。【選択図】図２
2007221190.tif 000002
【特許請求の範囲】
【請求項１】
１または複数の内線電話機と、外線に接続された主装置を有する電話システムにおいて、前記主装置は、管理者や保守者等の所定の連絡先電話番号を複数登録する連絡先電話番号登録手段と、前記連絡先電話番号登録手段に複数登録された連絡先電話番号の優先順位を登録する連絡先優先順位登録手段と、前記連絡先電話番号登録手段に登録された電話番号を、前記内線電話機の特定のキー操作により読み出して発信する連絡先電話番号読出発信手段を有し、前記内線電話機の特定のキー操作がなされた時、前記連絡先電話番号読出発信手段は、前記連絡先優先順位登録手段に登録された優先順位に従って連絡先電話番号を読み出し発信することを特徴とする連絡先自動選択発信機能を有する電話システム。
【請求項２】
請求項１記載の連絡先自動選択発信機能を有する電話システムにおいて、前記連絡先電話番号読出発信手段は、前記連絡先電話番号登録手段に登録された連絡先に発信する時、前記内線電話機の発信電話番号の表示を禁止する発信電話番号表示禁止手段を有することを特徴とする連絡先自動選択発信機能を有する電話システム。
【請求項３】
請求項１または２記載の連絡先自動選択発信機能を有する電話システムにおいて、前記連絡先優先順位登録手段は、前記複数の連絡先毎の連絡可能時間または日時または曜日により、優先順位を自動的に選択する優先順位自動選択手段を有することを特徴とする連絡先自動選択発信機能を有する電話システム。
【請求項４】
請求項１から３のうちいずれかに記載の連絡先自動選択発信機能を有する電話システムにおいて、前記連絡先電話番号読出発信手段は、前記連絡先電話番号登録手段に登録されている複数の連絡先に対して、前記連絡先に繋がるまでまたは予め登録された時間が経過するまで、所定の順番で自動的に順次発信する巡回呼出手段を有することを特徴とする連絡先自動選択発信機能を有する電話システム。
【請求項５】
請求項１から４のうちいずれかに記載の連絡先自動選択発信機能を有する電話システムにおいて、前記連絡先電話番号登録手段および前記連絡先優先順位登録手段は、通信回線を介した遠隔操作機能を具備し、登録内容の追加または変更が可能なことを特徴とする連絡先自動選択発信機能を有する電話システム。
【請求項６】
請求項５に記載の連絡先自動選択発信機能を有する電話システムにおいて、前記連絡先電話番号登録手段および前記連絡先優先順位登録手段に、前記通信回線を介した遠隔操作により新規連絡先を追加する時、遠隔操作側から受信する発信側電話番号を記憶し、前記遠隔操作する端末が新規連絡先の端末であった場合、前記遠隔操作する端末による所定の操作により、前記発信側電話番号を新規連絡先電話番号として追加することを特徴とする連絡先自動選択発信機能を有する電話システム。
【請求項７】
請求項６に記載の連絡先自動選択発信機能を有する電話システムにおいて、前記連絡先電話番号登録手段および前記連絡先優先順位登録手段に、前記通信回線を介した遠隔操作により新規連絡先を追加する時、前記新規連絡先または優先順位の有効期限を登録する有効期限登録手段を有することを特徴とする連絡先自動選択発信機能を有する電話システム。
【請求項８】
請求項４に記載の連絡先自動選択発信機能を有する電話システムにおいて、前記所定の順番で自動的に順次発信している時、通信回線が繋がっても留守番電話による応答等で相手がでない場合は、前記内線電話機の所定の操作により巡回呼出を継続する巡回呼出継続手段を有することを特徴とする連絡先自動選択発信機能を有する電話システム。
【発明の詳細な説明】
【技術分野】
【０００１】
本発明は、電話システムが設置してあるウィクリーマンション等を経営する管理者や、会社等に設置してある電話システムの保守者への連絡を迅速に且つ確実にするための連絡先自動選択発信機能を有する電話システムに関するものである。
【背景技術】
【０００２】
電話システムが設置してあるウィクリーマンション等を経営する管理者や、会社等に設置してある電話システムの保守者へ、ユーザが、曜日や日時や時間を判断して、事務所や自宅の電話機や携帯電話に記憶されている短縮ダイヤル発信やワンタッチキー発信を行って、電話をかけるが、いない場合もあり、連絡がなかなかできない場合もあった。特に、営業時間外になると、留守番電話等になり、連絡がほとんどできない場合が多い。
【０００３】
また、特開平２−８７７５１号公報（特許文献１）では、関連番号の登録ができ、ダイヤルネクストキーを１回押下することで、リダイヤルエリアのダイヤルの１個目の関連番号を発信、そしてもう一度、ダイヤルネクストキーを押下することで、２個目の関連番号を発信、…、Ｘ個目の関連番号を発信するものもあった。
【０００４】
【特許文献１】特開平２−８７７５１号公報
【発明の開示】
【発明が解決しようとする課題】
【０００５】
しかし、上述の連絡方法では、次のような課題がある。
１．連絡先の優先順位が１通りであり、迅速な呼出ができない。曜日や日時や時間により、連絡先の優先順位は変わるものである。
２．連絡先の発信を、次の連絡先に発信するために、特定の操作が必要である。
【０００６】
３．連絡先を事務所以外に自宅の電話機や携帯電話や出先の電話機にも入れている場合、ユーザに見せたくないが、電話機のＬＣＤに表示してしまう。
４．連絡先等登録が電話機のみでしかできない。また出先や事務所から登録、追加、変更ができない。
【０００７】
本発明の目的は、ユーザが簡単な操作（短縮ダイヤルやワンタッチキー操作等）で管理者や保守者等への連絡を迅速に且つ確実に行うことができる連絡先自動選択発信機能を有する電話システムを提供することにある。
【課題を解決するための手段】
【０００８】
第１の発明は、１または複数の内線電話機と、外線に接続された主装置を有する電話システムにおいて、前記主装置は、管理者や保守者等の所定の連絡先電話番号を複数登録する連絡先電話番号登録手段と、前記連絡先電話番号登録手段に複数登録された連絡先電話番号の優先順位を登録する連絡先優先順位登録手段と、前記連絡先電話番号登録手段に登録された電話番号を、前記内線電話機の特定のキー操作により読み出して発信する連絡先電話番号読出発信手段を有し、前記内線電話機の特定のキー操作がなされた時、前記連絡先電話番号読出発信手段は、前記連絡先優先順位登録手段に登録された優先順位に従って連絡先電話番号を読み出し発信することを特徴とする。
【０００９】
第２の発明は、第１の発明において、前記連絡先電話番号読出発信手段は、前記連絡先電話番号登録手段に登録された連絡先に発信する時、前記内線電話機の発信電話番号の表示を禁止する発信電話番号表示禁止手段を有することを特徴とする。
【００１０】
第３の発明は、第１または２の発明において、前記連絡先優先順位登録手段は、前記複数の連絡先毎の連絡可能時間または日時または曜日により、優先順位を自動的に選択する優先順位自動選択手段を有することを特徴とする。
【００１１】
第４の発明は、第１から３のうちいずれかの発明において、前記連絡先電話番号読出発信手段は、前記連絡先電話番号登録手段に登録されている複数の連絡先に対して、前記連絡先に繋がるまでまたは予め登録された時間が経過するまで、所定の順番で自動的に順次発信する巡回呼出手段を有する。
【００１２】
第５の発明は、第１から４のうちいずれかの発明において、前記連絡先電話番号登録手段および前記連絡先優先順位登録手段は、通信回線を介した遠隔操作機能を具備し、登録内容の追加または変更が可能なことを特徴とする。
【００１３】
第６の発明は、第５の発明において、前記連絡先電話番号登録手段および前記連絡先優先順位登録手段に、前記通信回線を介した遠隔操作により新規連絡先を追加する時、遠隔操作側から受信する発信側電話番号を記憶し、前記遠隔操作する端末が新規連絡先の端末であった場合、前記遠隔操作する端末による所定の操作により、前記発信側電話番号を新規連絡先電話番号として追加することを特徴とする。
【００１４】
第７の発明は、第６の発明において、前記連絡先電話番号登録手段および前記連絡先優先順位登録手段に、前記通信回線を介した遠隔操作により新規連絡先を追加する時、前記新規連絡先または優先順位の有効期限を登録する有効期限登録手段を有することを特徴とする。
【００１５】
第８の発明は、第４の発明において、前記所定の順番で自動的に順次発信している時、通信回線が繋がっても留守番電話による応答等で相手がでない場合は、前記内線電話機の所定の操作により巡回呼出を継続する巡回呼出継続手段を有することを特徴とする。
【発明の効果】
【００１６】
本発明によれば、ユーザが簡単な操作（短縮ダイヤルやワンタッチキー操作等）で管理者や保守者等への連絡を迅速に且つ確実に行うことができる（ユーザが電話をした場合に、管理者等が今いる場所にかかる）。
【発明を実施するための最良の形態】
【００１７】
以下、本発明の実施の形態を図面に基づいて説明する。
【００１８】
図１は、本発明による連絡先自動選択発信機能を有する電話システムの実施の形態の全体構成図である。
【００１９】
図１において、１は主装置であり、ウィクリーマンション内に設置され、交換処理と連絡先自動選択発信機能を行う。
２は電話機であり、主装置１に接続される内線電話機で、各部屋に置かれる。
３は操作台であり、主装置１に接続し、課金関係操作（チェックイン・チェックアウト等）を行う。
【００２０】
４は公衆電話回線であり、ウィクリーマンション内の主装置１と事務所のパソコンとをつなぐ公衆電話回線（アナログ・ＩＳＤＮ回線）である。
５はパソコンであり、事務所内に設置し、ウィクリーマンション内に設置されている主装置１と遠隔操作による各種設定を行う。
６は出先の電話機であり、管理者や保守者の出先の電話機である。
７は自宅の電話機であり、管理者や保守者の自宅の電話機である。
８は携帯電話であり、管理者や保守者の携帯電話である。
９は事務所の電話機であり、管理者や保守者の事務所の電話機である。
【００２１】
図２は、図１における主装置１のブロック構成図である。
【００２２】
図２において、１１は内線回路であり、電話機２に接続されるインターフェース回路である。
１２は通話路スイッチであり、主装置１の交換処理（内線・外線の接続処理）を行う。
１３は外線回路であり、外線４に接続されるインターフェース回路である。
【００２３】
１４は、中央制御部であり、内線回路１１、外線回路１３等の各回路からの入力情報に対する解析や判断、各回路の制御を行う。
【００２４】
１５は通信部であり、外線からの情報データの入出力を行う。
１６はパスワード／特番登録部であり、出先の電話機からの遠隔操作時のパスワード、出先の電話機からの遠隔操作時の新規登録（臨時登録）の登録特番、出先の電話機からの遠隔操作時の新規登録（臨時登録）の解除特番、ユーザの電話機からの巡回呼出継続特番を登録する。
【００２５】
１７は連絡先番号登録部であり、短縮ダイヤルで登録する。
１８は優先順位登録部であり、連絡先優先順位で、曜日／時間毎の短縮ダイヤル番号登録、日時／時間毎の短縮ダイヤル番号登録、巡回呼出順番／巡回呼出時間登録をする。
【００２６】
１９は臨時登録部であり、管理者等の出先からの電話機６からのＰＢ信号による新規登録（臨時登録）をする。
【００２７】
図３は、図１においてユーザから管理者への連絡するときの主装置１の処理を示すフローチャート図である。図４は、図１において管理者等の出先からの電話機６等による新規連絡先登録／解除のときの主装置１の処理を示すフローチャート図である。図５〜図９は、パソコンの表示画面例（登録例）である。
【００２８】
連絡先自動選択発信機能の各種登録は、主装置１に接続されている電話機２や操作台３のデーター設定機能にて行うか、パソコン５や出先の電話機６等にて公衆電話回線４を使用し遠隔操作にて行う。
【００２９】
パソコン５からの遠隔操作の方法は、例えばパソコン５よりダイヤルアップにより主装置１へ接続し、「プラウザ」を起動して行う。
【００３０】
パソコン５の最初の画面例は図５で、ここから各種登録項目を選択し、選択した項目にしたがって、図６から図９の画面に移行する。ここでは、パソコン５の画面による登録例を示す。また、出先の電話機６等からの遠隔操作の方法は、主装置１の保守番号に電話して、ＰＢ信号にて、新規連絡先の登録を行う。
【００３１】
各種登録項目の登録は、次の５項である。
１．パスワード登録／特番登録              図６
２．曜日／時間毎の短縮ダイヤル番号登録    図７
３．短縮ダイヤル登録                      図８
４．巡回呼出順番登録／巡回呼出時間登録    図９
５．新規登録（臨時登録）                  図４
上記１〜５項のうち、主装置１に接続されている電話機２等からできる登録は、１〜４項であり、パソコン５等からできる登録は、１〜４項であり、出先の電話機６等からできる登録は、５項である。
また、１〜４項の登録は事前に行い、巡回呼出を可能としておく。
【００３２】
次に、上記１〜４項の登録について、各図を用いて説明する。
【００３３】
図５は、図１におけるパソコン５による連絡先自動選択発信機能遠隔操作のスタート画面例である。図５の例では、パスワード登録／特番登録、曜日／時間毎の短縮ダイヤル番号登録、短縮ダイヤル登録、巡回呼出順番登録／巡回呼出時間登録を、順番に選択する。
【００３４】
図６は、図５において、パスワード登録／特番登録を選択して登録する場合の画面例であり、出先の電話機からの遠隔操作時のパスワード、出先の電話機からの遠隔操作時の新規登録（臨時登録）の登録特番、出先の電話機からの遠隔操作時の新規登録（臨時登録）の解除特番、ユーザの電話機からの巡回呼出継続特番の各々を、数字で例えば００００／９１／９２／９３と入力し確定して、図２のパスワード／特番登録部１６に登録する。
【００３５】
図７は、図５において、曜日／時間毎の短縮ダイヤル番号登録を選択して登録する場合の画面例であり、短縮ダイヤル番号（００〜０９）で入力し確定して、図２の優先順位登録部１８に登録する。図７は曜日／時間毎の例であるが、日時／時間毎の１週間、１ケ月間、１年間の登録もできる。また、連絡可能時間帯は上記の登録を行い、連絡不可時間帯は上記の登録をしない。なお、上記の例は、２４時間すべて連絡可能時間帯にした例である。
【００３６】
図８は、図５において、短縮ダイヤル登録を選択して登録する場合の画面例であり、短縮ダイヤル番号毎に、短縮ダイヤルと名称を入力し確定して、図２の連絡先番号登録部１７に登録する。
【００３７】
図９は、図５において、巡回呼出順番登録／巡回呼出時間登録を選択して登録する場合の画面例であり、巡回呼出順番登録に、例えば、短縮ダイヤル番号の００と０１と０２の巡回呼出順番を入力し、次に、巡回呼出時間登録に例えば１０分を入力し確定して、図２の優先順位登録部１８に登録する。
【００３８】
以上により、図２のパスワード／特番登録部１６、優先順位登録部１８、連絡先番号登録部１７への登録が完了する。
【００３９】
ユーザから管理者等への連絡は、ユーザが電話機２で、ワンタッチ発信（受話器を上げて、ワンタッチキー）又は短縮ダイヤル発信（受話器を上げて、短縮キー＋短縮ダイヤル番号（００〜０９ダイヤル））の簡単操作で、管理者等の連絡を行った場合、繋がるまでまたは登録した時間が経過するまで、登録された複数の連絡先に対して、登録した順番で自動的に順次発信する巡回呼出を行う（図３）。
【００４０】
なお、ユーザが使用している電話機２のＬＣＤでの発信電話番号の表示は、連絡先を事務所以外に出先の電話機６や自宅の電話機７、携帯電話８に登録している場合、ユーザに見せたくないので、巡回呼出時は、発信電話番号の表示は行わない。
【００４１】
また、巡回呼出時、公衆電話回線４が繋がっても留守番電話による応答で相手が出ない場合は、ユーザが電話機２から、巡回呼出継続特番を示す９３を入力し確定する操作を行うことにより、巡回呼出を継続することができる。
【００４２】
次に、ユーザから管理者等への巡回呼出を、図３に示す、図１においてユーザから管理者等への連絡するときの主装置１の処理を示すフローチャート図で、説明する。
【００４３】
主装置１の中央制御部１４は、ユーザが電話機２で、短縮ダイヤル発信（受話器を上げて、短縮キー＋短縮ダイヤル番号（００〜０９ダイヤル）又はワンタッチ発信（受話器を上げて、ワンタッチキー））を行ったかを判断する（３０１）。ＮＯの場合は、通常のダイヤル発信処理へ移行する（３０２）。
【００４４】
ＹＥＳの場合、中央制御部１４は、巡回呼出の登録有りかを判断する（３０３）。巡回呼出の登録有りかは、巡回呼出の各種登録（連絡先電話番号、連絡先優先順位、巡回呼出時間、巡回呼出継続特番）がすべて登録してあるかを、判断する。ＮＯの場合は、通常の短縮ダイヤル発信又はワンタッチキー発信処理へ移行する（３０４）。
【００４５】
ＹＥＳの場合、中央制御部１４は、日時、曜日より短縮ダイヤル番号を読み出し、その巡回呼出順番を読み出す。また巡回呼出時間を読み出す。さらに１回の呼出時間（３０秒）を読み出す（３０５）。
【００４６】
次に中央制御部１４は、巡回呼出の発信を行う（３０６）。
【００４７】
次に中央制御部１４は、３０秒間呼出したかを判断する（３０７）。
【００４８】
ＹＥＳの場合、次に中央制御部１４は、巡回呼出時間は完了したかを判断する（３０８）。ＮＯの場合は、巡回呼出の発信を行う（３０６）に戻る。
【００４９】
３０秒間呼出したかを判断したとき（３０７）、ＮＯの場合、次に中央制御部１４は、相手が応答したかを判断する（３０９）。ＮＯの場合は、引き続き、３０秒間呼出したかを判断する（３０７）に戻る。
【００５０】
相手が応答したかを判断したとき（３０９）、ＹＥＳの場合、次に中央制御部１４は、巡回呼出継続特番がダイヤルされたか、すなわち応答した相手が留守番電話等で、管理者等でない場合に、巡回呼出継続特番がダイヤルされたかを判断する（３１０）。ＮＯの場合は、呼出継続特番がダイヤルされたかを判断する（３１０）に戻る。ＹＥＳの場合は、巡回呼出を再開させ、巡回呼出時間は完了したかを判断する（３０８）に移行する。
【００５１】
中央制御部１４は、巡回呼出時間は完了したかを判断したとき（３０８）、ＹＥＳの場合、電話回線を切断して巡回呼出を終了する（３１１）。
【００５２】
次に、図７から図９の事前登録例で、具体的に説明する。
【００５３】
図８に示すように、短縮ダイヤルは、短縮ダイヤル番号００（事務所の電話機９）と０１（管理者の自宅の電話機７）と０２（管理者の携帯電話８）の３個が登録されていて、図９に示すように、それぞれの短縮ダイヤル番号に対する巡回呼出も登録されている。
【００５４】
短縮ダイヤル発信（受話器を上げて、短縮キー＋短縮ダイヤル番号（００〜０９ダイヤル））を行った場合、曜日／時間（日時／時間）により、巡回呼出の短縮ダイヤル番号に変わる。
【００５５】
最初に短縮ダイヤル番号００を発信して、次は下記のワンタッチキー発信と同様の発信となる。
【００５６】
例えば、日曜日の１０時であると、図７に示すように、短縮ダイヤル番号０２が登録されているので、短縮ダイヤル番号００の発信後は、図９に示す最初の欄０２の行の順番となり、図９に示す短縮ダイヤル番号０２、００、０１を３０秒間づつ、巡回呼出の発信を行う。
【００５７】
すなわち、短縮ダイヤル番号００（事務所の電話機９）を３０秒間呼出、応答がなければ、次は、短縮ダイヤル番号０２（管理者の携帯電話８）を３０秒間呼出、応答がなければ、次は、短縮ダイヤル番号００（事務所の電話機９）を３０秒間呼出、応答がなければ、次は、短縮ダイヤル番号０１（管理者の自宅の電話機７）を３０秒間呼出、応答がなければ、次は、最初に戻り、短縮ダイヤル番号００（事務所の電話機９）を３０秒間呼出す。以上を巡回呼出時間登録の１０分経過するまで繰返して完了する。
【００５８】
ワンタッチ発信（受話器を上げて、ワンタッチキー））を行った場合、曜日／時間（日時／時間）により、巡回呼出の短縮ダイヤル番号に変わる。
【００５９】
例えば、日曜日の１０時であると、図７に示すように、短縮ダイヤル番号０２が登録されているので、図９に示す最初の欄０２の行の順番となり、図９に示す短縮ダイヤル番号０２、００、０１を３０秒間呼出し、巡回呼出時間登録の１０分経過するまで繰返して完了する。
【００６０】
また、下記の新規連絡先の登録がされていると、その連絡先を最初に発信して、次は、上記のワンタッチキー発信と同様の発信となる。
【００６１】
例えば、日曜日の１０時であると、図７に示すように、短縮ダイヤル番号０２が登録されているので、新規連絡先の発信後は、図９に示す最初の欄０２の行の順番となり、図９に示す短縮ダイヤル番号０２、００、０１を３０秒間呼出し、巡回呼出時間登録の１０分経過するまで繰返して完了する。
【００６２】
次に、図４に示す、図１において管理者等の出先からの電話機６等による新規連絡先登録／解除の操作と主装置１の処理を示すフローチャート図について、説明する。
【００６３】
主装置１の中央制御部１４は、管理者等の出先の電話機６等が主装置１へ発信したときの着信有りかを判断する（４０１）。ＮＯの場合は、引き続き、着信有りかを判断する（４０１）に戻る。ＹＥＳの場合、次に中央制御部１４は、着信に自動応答する（４０２）。
【００６４】
出先からの電話機６等が自動応答に基づく着信応答をしたら、管理者等はパスワード（００００）をダイヤルし、次いで登録時は登録特番（９１）、解除時は解除特番（９２）をダイヤルする。
【００６５】
主装置１の中央制御部１４は、着信したパスワード（００００）がパスワード／特番登録部１６に登録しているパスワードと一致かを判断する（４０３）。ＮＯの場合は、電話回線を切断する（４０４）。
【００６６】
ＹＥＳの場合、次に中央制御部１４は、登録特番（９１）が着信したかを判断する（４０５）。ＹＥＳの場合、次に中央制御部１４は、発信側電話番号（発信者が使用している外線の電話番号）が新規であるかを判断する（４０６）。ＮＯの場合は、電話回線を切断する（４０４）。
【００６７】
出先からの電話機６等で、管理者等が登録特番（９１）をダイヤルしたら、次に有効期限の開始時間例えば１２０１０８００（１２月０１日０８時００分）と有効期限の終了時間例えば１２０２１７００（１２月０２日１７時００分）をダイヤルする。
【００６８】
主装置１の中央制御部１４は、着信した有効期限の開始時間と有効期限の終了時間を新規登録する。新規登録（臨時登録）したら保留音を送出する（４０７）。出先からの電話機６等は、主装置１からの保留音を聞いて終話する。
【００６９】
中央制御部１４は、登録特番（９１）が着信したかを判断して（４０５）、ＮＯの場合は、次に中央制御部１４は、解除特番（９２）が着信したかを判断する（４０８）。ＮＯの場合は、その他のサービス機能処理へ移行する（４０９）。ＹＥＳの場合は新規登録（臨時登録）を解除して保留音を送出する（４１０）。出先からの電話機６等は、主装置１からの保留音を聞いて終話する。なお、有効期限の終了時間になれば、自動的に登録が解除される。
【００７０】
以上、本実施の形態では、電話システムが設置してあるウィクリーマンション等を経営する管理者や、会社等に設置してある電話システムの保守者等への連絡を説明したが、この連絡先自動選択発信機能は、特定の人への連絡を、迅速に且つ確実に行う発信機能である。
【図面の簡単な説明】
【００７１】
【図１】本発明による連絡先自動選択発信機能を有する電話システムの実施の形態の全体構成図である。
【図２】図１における主装置のブロック構成図である。
【図３】図１においてユーザから管理者等への連絡するときの主装置の処理を示すフローチャート図である。
【図４】図１において管理者等の出先からの電話機等による新規連絡先登録／解除のときの主装置の処理を示すフローチャート図である。
【図５】図１におけるパソコンによる連絡先自動選択発信機能遠隔操作のスタート画面例である。
【図６】図５において、パスワード登録／特番登録を選択して登録する場合の画面例である。
【図７】図５において、曜日／時間毎の短縮ダイヤル番号登録を選択して登録する場合の画面例である。
【図８】図５において、短縮ダイヤル登録を選択して登録する場合の画面例である。
【図９】図５において、巡回呼出順番登録／巡回呼出時間登録を選択して登録する場合の画面例である。
【符号の説明】
【００７２】
１…主装置、２…電話機、３…操作台、４：公衆電話回線、５…パソコン、６…出先の電話機、７…自宅の電話機、８…携帯電話機、９…事務所の電話機、１１…内線回路、１２…通話路スイッチ、１３…外線回路、１４…中央制御部、１５…通信部、１６…パスワード／特番登録部、１７…連絡先番号登録部、１８…優先順位登録部、１９…臨時登録部。
【図１】
2007221190.tif 000003
【図２】
2007221190.tif 000004
【図３】
2007221190.tif 000005
【図４】
2007221190.tif 000006
【図５】
2007221190.tif 000007
【図６】
2007221190.tif 000008
【図７】
2007221190.tif 000009
【図８】
2007221190.tif 000010
【図９】
2007221190.tif 000011